(57)【要約】【課題】異なる変復調方式を有する情報端末装置において、移動体通信網を利用した情報センターからの情報提供サービスを、運転者が操作することなく容易に利用できるようにする。【解決手段】周辺施設情報を位置情報に関連して格納したデータベース１６と、現在地情報を取得する現在地情報取得部１７と、取得した現在地情報を基に、予め設定した周辺施設情報をデータベース１６から検出する施設検出部１８とを備え、マイコン１９が、検出された周辺施設情報に適した情報提供サービスを外部の情報センターに要求し、その情報提供サービスを受信して表示部９に表示する。【選択図】  図１
2004233253.tif 000002
【特許請求の範囲】
【請求項１】
無線通信により外部の無線装置と情報を直接交換するとともに、移動体通信網を利用して外部の情報提供機関からサービス情報を取得する複数の変復調部および複数の信号処理部を有する情報端末装置において、周辺施設情報を位置情報に関連して格納したデータベースと、現在地情報を取得する現在地情報取得手段と、前記取得した現在地情報を基に前記データベースから周辺施設情報を検出する施設検出手段と、前記検出した周辺施設情報に適したサービス情報を前記外部の情報提供機関から取得するように前記変復調部および前記信号処理部を制御する制御手段とを備えた情報端末装置。
【請求項２】
前記データベースと前記現在地情報取得手段と前記施設検出手段として、ナビゲーション装置におけるデータベースと現在地情報取得手段と施設検出手段を用いることを特徴とする請求項１記載の情報端末装置。
【請求項３】
前記無線通信により外部の無線装置と行う情報交換を自動料金収受システムに基づいて行うことを特徴とする請求項１または請求項２記載の情報端末装置。
【発明の詳細な説明】
【０００１】
【発明の属する技術分野】
本発明は、無線通信により外部の無線装置と情報を直接交換するとともに、移動体通信網を利用して外部の情報提供機関からサービス情報を取得する複合機能を有する情報端末装置に関する。
【０００２】
【従来の技術】
近年では、高速道路などの有料道路での料金収受を無線通信により完了させる自動料金収受システム（Ｅｌｅｃｔｒｏｎｉｃ  Ｔｏｌｌ  Ｃｏｌｌｅｃｔｉｏｎ  Ｓｙｓｔｅｍ）が実施されるようになった。このような自動料金収受端末を車両に搭載することにより、料金所をノンストップで通過することができるので、料金所における渋滞の緩和が期待されている。一方、移動体通信網を利用して携帯電話からインターネットを通じて情報センターにアクセスし、情報センターから最新のニュースや交通情報、スポーツ情報、買物情報などを取得して画面に表示できる情報端末も普及している。さらには、このような自動料金収受端末と情報端末とを複合化した情報端末装置も知られている（例えば、特許文献１参照）。
【０００３】
【特許文献１】
特開平０９−１１６４４７号公報
【０００４】
このような複合化された情報端末装置では、自動料金収受端末と移動体通信網を利用した情報端末とでは、利用するアプリケーションによって変調方式が異なるため、受信した信号に応じて変調方式を切り換える必要があった。図３は従来のこの種の車載情報端末装置の構成を示している。料金収受のために路側機から信号を受信する場合は、送受信アンテナ１で捉えた路側機からの電波を受信側に切り換えたアンテナ切換器２で受信部３に送り、受信部３で路側機からの周波数に同調して信号を得る。得られた受信信号を受信信号切換器４で切り換えて第１復調器５に送り、第１復調器５でＡＳＫ復調を行なう。復調したデータは、第１信号処理部７で復号、誤り訂正処理され、マイコン８から表示部９に送られ、文字情報および簡易図形等の画像情報として表示される。逆に、情報端末装置から路側機に対して個別情報等を送信する場合は、操作部１０から予め入力したＩＤ情報などのデータが、マイコン８から第１信号処理部７に送られ、第１信号処理部７で符号化された送信信号が、第１変調器１２でＡＳＫ変調された後、送信信号切換器１４で送信部１５に送られ、送信部１５で増幅されてアンテナ切替器２から送受信アンテナ１を通じて路側機へ送信される。
【０００５】
一方、移動体通信網を利用して外部の情報センターからサービス情報を受信する場合もほぼ同様であるが、変調方式が異なるため、受信信号を受信切換器４で第２復調器６に送り、ここで第１復調器５とは異なるＱＰＳＫ方式でデータ復調し、第２信号処理部１１で復号、誤り訂正処理し、操作部１０の設定に応じて表示部９から文字や図形を出力することである。受信した提供可能なサービス情報の中から必要なサービス情報を選択し要求する場合には、操作部１０の操作により選択し、その選択した信号が第２信号処理部１１を介して第２変調器１３によりＱＰＳＫ変調され、送信信号切換器１４を介して送信部１５に送られ、送信部１５がアンテナ切換器２を通じて送受信アンテナ１から送信し、移動体通信網を通じて外部の情報センターにサービス選択情報を伝送する。このサービス選択情報を受信した情報センターは、逆の手順で情報端末装置にサービス情報を伝送する。
【０００６】
【発明が解決しようとする課題】
しかしながら、上記従来の複合化された車載情報端末装置では、移動体通信網を利用した情報提供サービスを利用する場合、複数の情報提供サービスの中から利用者が希望するサービス項目を選択する必要があり、リモコン操作を何回も行わなければならないので、操作性が悪いという問題を有していた。
【０００７】
本発明は、このような従来の問題を解決するものであり、異なる変復調方式を有する情報端末装置において、移動体通信網を利用した外部の情報提供機関からの情報提供サービスを容易に利用することのできる情報端末装置を提供することを目的とする。
【０００８】
【課題を解決するための手段】
上記目的を達成するために、本発明の情報端末装置は、無線通信により外部の無線装置と情報を直接交換するとともに、移動体通信網を利用して外部の情報提供機関からサービス情報を取得する複数の変復調部および複数の信号処理部を有する情報端末装置において、周辺施設情報を位置情報に関連して格納したデータベースと、現在地情報を取得する現在地情報取得手段と、前記取得した現在地情報を基に前記データベースから周辺施設情報を検出する施設検出手段と、前記検出した周辺施設情報に適したサービス情報を前記外部の情報提供機関から取得するように前記変復調部および前記信号処理部を制御する制御手段とを備えたものである。この構成により、走行中の車両が道路沿いの予め設定した施設の近傍に接近すると、施設検出手段がそのことを検出して制御手段に通知し、制御手段がその施設に関するサービス情報を移動体通信網を利用して外部から取得するように制御するので、移動体通信網を利用した情報提供サービスを、利用者が操作することなく、容易に取得することができる。
【０００９】
また、本発明の情報端末装置は、前記データベースと前記現在地情報取得手段と前記施設検出手段として、ナビゲーション装置におけるデータベースと現在地情報取得手段と施設検出手段を用いることを特徴とするものである。この構成により、既存のナビゲーション装置に本発明の情報端末装置を追加することにより、移動体通信網を利用した情報提供サービスを低コストで容易に利用することができる。
【００１０】
また、本発明の情報端末装置は、前記無線通信により外部の無線装置と行う情報交換を自動料金収受システムに基づいて行うことを特徴とするものである。この構成により、自動料金収受処理と外部からのサービス情報の取得処理とを共通の装置で行うことができる。
【００１１】
【発明の実施の形態】
以下、本発明の実施の形態について図面を用いて説明する。
（実施の形態１）
図１は本発明の実施の形態１における車載情報端末装置の構成を示している。図３に示した従来例と異なることは、データベース１６と現在地情報取得部１７と施設検出部１８が追加されたこと、およびマイコン１９における処理である。データベース１６は、周辺施設情報を位置情報および道路情報に関連して格納したＤＶＤ等の記憶媒体である。現在地情報取得部１７は、車両の現在地情報を取得するものであり、ＧＰＳ衛星からの電波を受信することにより車両の現在位置の緯度、経度情報を取得する。施設検出部１８は、現在地情報取得部１７が取得した現在地情報を基に、利用者が予め操作部１０から設定した周辺施設情報をデータベース１６から検出するものである。マイコン１９は、装置全体を制御する制御部であり、施設検出部１８が検出した周辺施設情報に適したサービス情報を外部の情報センターから取得するための制御を行う。他の構成は図３の従来例と同じでなので、同じ構成要素には同じ符号を付して重複した説明は省略する。
【００１２】
次に、本実施の形態１における動作について、まず、料金収受のために路側機から信号を受信する場合について説明する。図１において、送受信アンテナ１で捉えた路側機からの電波を、受信側に切り換えたアンテナ切換器２で受信部３に送り、受信部３で路側機からの周波数に同調して信号を得る。得られた受信信号を受信信号切換器４で切り換えて第１復調器５に送り、第１復調器５でＡＳＫ復調を行なう。復調したデータは、第１信号処理部７で復号、誤り訂正処理され、マイコン８から表示部９に送られ、文字情報および簡易図形等の画像情報として表示される。逆に、情報端末装置から路側機に対して個別情報等を送信する場合は、操作部１０から予め入力したＩＤ情報などのデータが、マイコン８から第１信号処理部７に送られ、第１信号処理部７で符号化された送信信号が、第１変調器１２によりＡＳＫ変調された後、送信信号切換器１４で送信部１５に送られ、送信部１５で増幅されて、アンテナ切替器２から送受信アンテナ１を通じて路側機へ送信される。
【００１３】
次に、移動体通信網を利用して外部の情報センターからサービス情報を受信する場合の動作について説明する。利用者は、まずこれから走行を予定している目的地までの道路において、情報を得たい周辺施設の名称を操作部１０から登録しておく。現在地情報取得部１７は、車両の走行に伴って変化する車両の現在地情報を絶えず取得し、施設検出部１８に送出する。施設検出部１８は、登録された周辺施設の位置情報を常に監視しており、現在地情報取得部１７から取得した現在地情報が、登録された周辺施設の所定の範囲、例えば１ｋｍ以内に接近した場合に、その旨およびその周辺施設の名称と位置情報とをマイコン１９に送出する。マイコン１９は、その周辺施設の名称と位置情報とを含む情報提供要求信号を作成するように第２信号処理部１１に通知する。作成された情報提供要求信号は、第２変調器１３によってＱＰＳＫ変調され、送信信号切換器１４を介して送信部１５に送られ、送信部１５がアンテナ切換器２を通じて送受信アンテナ１から情報センターへ送信する。情報提供要求信号を受信した情報センターは、該当するサービス情報を選択して情報端末装置に送り返す。情報端末装置は、送受信アンテナ１で捉えた電波を受信側に切り換えたアンテナ切換器２で受信部３に送り、受信部３で移動体通信網が使用する周波数に同調して信号を得る。得られた受信信号を受信信号切換器４で切り換えて第２復調器６に送り、第２復調器６でＱＰＳＫ復調を行なう。復調したデータは、第２信号処理部１１で復号、誤り訂正処理され、マイコン１９から表示部９に送られ、要求した周辺施設に関するサービス情報が画像情報として表示部９に表示される。
【００１４】
このように、本実施の形態１によれば、周辺施設情報を位置情報に関連して格納したデータベース１６と、現在地情報を取得する現在地情報取得部１７と、取得した現在地情報を基に、利用者が予め設定した周辺施設情報をデータベース１６から検出する施設検出部１８と、検出した周辺施設情報に適したサービス情報を外部の情報センターから取得するように、第２復調器６および第２変調器１３と第２信号処理部１１を制御するマイコン１９とを備えており、車両が予め設定した施設に接近した場合に、マイコン１９がその施設に関するサービス情報を移動体通信網を利用して外部の情報センターから取得して表示部９に表示するので、利用者が操作することなく、周辺施設に関するサービス情報を自動的に入手することができ、移動体通信網を利用した情報提供サービスを容易に利用することができる。また、マイコン１９は、通常はＥＴＣシステムの一部として機能しているので、料金収受のために路側機との間で適宜信号の送受信を行い、周辺施設に接近した時だけ情報センターに接続するので、複数のサービスに対応することができる。
【００１５】
（実施の形態２）
図２は本発明の実施の形態２における車載情報端末装置の構成を示している。図１に示した実施の形態１と異なるのは、データベース１６と現在地情報取得部１７と施設検出部１８が省略されて、代わりにナビゲーション装置２０がマイコン１９に接続されていることである。マイコン１９は、ナビゲーション装置２０と通信を行い、ナビゲーション装置２０が持っているデータベースと現在地情報取得機能と施設検出機能を利用して、車両が現在走行中の道路が高速道路なのか一般道なのか、またはそれ以外の場所なのかの情報をもらい、有料道路の料金所付近では、有料道路の料金決済端末として作用し、それ以外の場所では、周辺施設に対応したサービス情報を情報センターから受信する端末として機能する。
【００１６】
このように、本実施の形態２によれば、ナビゲーション装置２０におけるデータベースと現在地情報取得機能と施設検出機能を利用することにより、移動体通信網を利用した情報提供サービスを容易に利用することができ、低コストな車載情報端末装置を実現することができる。
【００１７】
なお、以上の説明では、アンテナ１を送受兼用アンテナで構成した例で説明したが、送受信別々のアンテナで構成した場合には、アンテナ切換器２がなくなるだけで、同様に実施可能である。また、本発明を車両に搭載された車載装置として説明したが、車両内に持ち込んで使用する情報端末装置に対しても本発明を適用可能である。
【００１８】
【発明の効果】
以上説明したように、本発明の情報端末装置は、無線通信により外部の無線装置と情報を直接交換するとともに、移動体通信網を利用して外部の情報提供機関からサービス情報を取得する複数の変復調部および複数の信号処理部を有する情報端末装置において、周辺施設情報を位置情報に関連して格納したデータベースと、現在地情報を取得する現在地情報取得手段と、取得した現在地情報を基にデータベースから周辺施設情報を検出する施設検出手段と、検出した周辺施設情報に適したサービス情報を外部の情報提供機関から取得するように制御する制御手段とを備えたものである。この構成により、走行中の車両が道路沿いの予め設定した施設の近傍に接近すると、施設検出手段がそのことを検出して制御手段に通知し、制御手段がその施設に関するサービス情報を移動体通信網を利用して外部から取得して表示するので、利用者が操作することなく自動的に端末機能が切り換わり、複数のアプリケーションに素早く対応できるので、移動体通信網を利用した情報提供サービスを容易に利用することができる。
【図面の簡単な説明】
【図１】本発明の実施の形態１における車載情報端末装置のブロック図
【図２】本発明の実施の形態２における車載情報端末装置のブロック図
【図３】従来の車載情報端末装置のブロック図
【符号の説明】
１  送受信アンテナ
２  アンテナ切換器
３  受信部
４  受信信号切換器
５  第１復調器
６  第２復調器
７  第１信号処理部
８  マイコン
９  表示部
１０  操作部
１１  第２信号処理部
１２  第１変調器
１３  第２変調器
１４  送信信号切換器
１５  送信部
１６  データベース
１７  現在地情報取得部
１８  施設検出部
１９  マイコン
２０  ナビゲーション装置
【図１】
2004233253.tif 000003
【図２】
2004233253.tif 000004
【図３】
2004233253.tif 000005